(57)【要約】【課題】第１のシートと第２のシートとが貼着されることによって袋部を構成し、第２のシートに積層された粘着層によって被着体に貼付される袋状ラベルにおいて、袋部となる領域から不用意に剥離したり縒れたりしにくくする。【解決手段】袋部２を構成する上基材１０と下基材２０とが、上基材１０と下基材２０の３つの辺部に沿う領域と、４つの辺部のうち残りの１つの辺部に沿う領域の一部とが、接着層４０のみによって貼着され、それ以外の領域が、接着層４０及び剥離層５０によって剥離可能に貼着されている。【選択図】図１
2014188681.tif 000002
【特許請求の範囲】
【請求項１】
４つの辺部を具備する第１のシートと第２のシートとが重ね合わされ、前記４つの辺部のうち３つの辺部に沿う領域が接着層によって貼着されていることにより袋部を構成し、前記第２のシートの前記第１のシートとの貼着面とは反対側の面に積層された粘着層が剥離台紙で覆われてなる袋状ラベルであって、
前記第１のシートと前記第２のシートとは、
前記３つの辺部に沿う領域と、前記４つの辺部のうち残りの１つの辺部に沿う領域の一部とが、前記接着層のみによって貼着され、
それ以外の領域が、前記接着層及び該接着層に積層された剥離層によって剥離可能に貼着されている袋状ラベル。
【発明の詳細な説明】
【技術分野】
【０００１】
本発明は、第１のシートと第２のシートとが貼着されることによって袋部を構成し、第２のシートに積層された粘着層によって被着体に貼付される袋状ラベルに関し、袋部となる領域から不用意に剥離することを抑制する技術に関する。
【背景技術】
【０００２】
従来より、配送物を配送する場合、配送物の配送元及び配送先の住所や氏名あるいは名称等の配送情報が記入された配送伝票が用いられ、配送情報が記入された配送伝票が配送物に貼付され、配送伝票に記入された配送情報に従って配送物が配送先に配送されている。
【０００３】
このような配送伝票が貼付された配送物には、配送物の詳細が記載された納品書が添付される場合が多いが、近年においては、このような納品書を配送物に同梱するのではなく、配送伝票に収納して添付することが行われている。納品書を配送伝票に収納するためには、配送伝票を袋状に形成する必要がある。そこで、配送伝票を２枚のシートから構成し、配送伝票の４辺のうち３辺に沿う領域のみを互いに貼着することにより、袋状に形成し、この袋状となった部分に納品書を収納することが考えられる。
【０００４】
ところで、近年、配送伝票に対する配送情報の記入は、プリンタにおける印字によって行われる場合が多い。特に、一般消費者ではなく企業等から発送する配送物においては、配送情報が事前に印字されたものが用いられている。そのため、上述したように配送伝票を２枚のシートから構成し、袋状に形成するためにこれら２枚のシートが貼着されていない領域が存在した場合、配送伝票がプリンタ内を搬送される際に、２枚のシートが剥離してしまったり、縒れてしまったりする虞れがある。
【０００５】
ここで、２枚のシートが重ね合わされてその一部が袋状となった配送伝票において、袋状となった部分の一部に、剥離層と接着層とからなる疑似接着構造を設けたものが、特許文献１に開示されている。この技術によれば、袋状となった部分の一部においても２枚のシートが疑似接着構造によって互いに貼着されているため、プリンタ内を搬送される際に、２枚のシートが剥離してしまったり、縒れてしまったりすることが抑制される。
【先行技術文献】
【特許文献】
【０００６】
【特許文献１】特開２０１１−２４５７００号公報
【発明の概要】
【発明が解決しようとする課題】
【０００７】
しかしながら、特許文献１に開示された技術においては、袋状となった部分の一部においても２枚のシートが互いに貼着されているものの、剥離層と接着層とからなる疑似接着構造によって剥離可能に貼着されているため、例えば、プリンタ内の一対のローラに挟まれながら搬送された場合、これら一対のローラによる圧力及び回転によって、２枚のシートに対して互いにずれるような外力が加わり、袋状となった部分から剥離したり、縒れてしまったりする虞れがある。シートが剥離したり縒れたりして２枚のシートがずれてしまった場合、その後、２枚のシートを断裁する場合にその断裁位置がずれてしまい、製品の仕上がりに支障をきたしてしまう。
【０００８】
本発明は、上述したような従来の技術が有する問題点に鑑みてなされたものであって、第１のシートと第２のシートとが貼着されることによって袋部を形成し、第２のシートに積層された粘着層によって被着体に貼付される袋状ラベルにおいて、袋部となる領域から不用意に剥離したり縒れたりしにくくすることができる袋状ラベルを提供することを目的とする。
【課題を解決するための手段】
【０００９】
上記目的を達成するために本発明は、
４つの辺部を具備する第１のシートと第２のシートとが重ね合わされ、前記４つの辺部のうち３つの辺部に沿う領域が接着層によって貼着されていることにより袋部を構成し、前記第２のシートの前記第１のシートとの貼着面とは反対側の面に積層された粘着層が剥離台紙で覆われてなる袋状ラベルであって、
前記第１のシートと前記第２のシートとは、
前記３つの辺部に沿う領域と、前記４つの辺部のうち残りの１つの辺部に沿う領域の一部とが、前記接着層のみによって貼着され、
それ以外の領域が、前記接着層及び該接着層に積層された剥離層によって剥離可能に貼着されている。
【００１０】
上記のように構成された本発明においては、重ね合わされた第１のシートと第２のシートの３つの辺部に沿う領域が接着層のみによって貼着されることにより袋部を構成しているが、袋部となる領域においても、４つの辺部のうち残りの１つの辺部に沿う領域の一部が、第１のシートと第２のシートとが接着層のみによって貼着され、それ以外の領域が、接着層とこれに積層された剥離層によって第１のシートと第２のシートとが剥離可能に貼着されているので、袋部となる領域においても第１のシートと第２のシートとが互いに貼着されており、それにより、プリンタ内を搬送される際等において、第１のシートと第２のシートとが袋部となる領域から不用意に剥離したり縒れたりしにくくなる。さらに、第１のシートと第２のシートとが、袋部を構成する３つの辺部以外の１つの辺部においても、その辺部に沿う領域の一部が接着層のみによって貼着されていることによっても、プリンタ内を搬送される際等において、第１のシートと第２のシートとが袋部となる領域から不用意に剥離したり縒れたりしにくくなる。袋部となる領域に収納物を収納する際は、袋部となる領域にて第１のシートと第２のシートとを剥離することになるが、接着層及び剥離層とが積層された領域は、第１のシートと第２のシートとが剥離可能に貼着されているため容易に剥離することができ、また、第１のシートと第２のシートとが接着層のみによって貼着された領域が、１つの辺部に沿う領域の一部のみであるため、第１のシートと第２のシートとを人の力で剥離することができる。また、袋部となる領域において、接着層のみによって第１のシートと第２のシートとが貼着された領域が１つの辺部に沿う領域の一部であることから、袋部の開口部となるその辺部に沿う領域には、第１のシートと第２のシートとが接着層及び剥離層によって剥離可能に貼着された領域が存在し、それにより、第１のシートと第２のシートが接着層のみによって貼着された領域を剥離するために袋部となる領域に指等を挿入しやすくなる。
【発明の効果】
【００１１】
本発明によれば、第１のシートと第２のシートとが、４つの辺部のうち３つの辺部に沿う領域と、残りの１つの辺部に沿う領域の一部とが、接着層のみによって貼着され、それ以外の領域が、接着層及び剥離層によって剥離可能に貼着されている構成としたため、第１のシートと第２のシートとによって袋部を構成するとともに、袋部となる領域においても第１のシートと第２のシートとが貼着されており、それにより、袋部となる領域から不用意に剥離したり縒れたりしにくくすることができる。
【図面の簡単な説明】
【００１２】
【図１】本発明の袋状ラベルの実施の一形態を示す図であり、（ａ）は表面図、（ｂ）は（ａ）に示したＡ−Ａ’断面図、（ｃ）は剥離層の形状を示す図である。
【図２】図１に示した袋状ラベルの使用例を示す図であり、（ａ）は表面図、（ｂ）は（ａ）に示したＡ−Ａ’断面図である。
【図３】図２に示した配送用伝票の作用を説明するための図である。
【図４】図１に示した配送伝票の使用方法を説明するための図である。
【図５】本発明の袋状ラベルの他の実施の形態を示す図である。
【発明を実施するための形態】
【００１３】
以下に、本発明の実施の形態について図面を参照して説明する。
【００１４】
図１は、本発明の袋状ラベルの実施の一形態を示す図であり、（ａ）は表面図、（ｂ）は（ａ）に示したＡ−Ａ’断面図、（ｃ）は剥離層５０の形状を示す図である。
【００１５】
本形態は図１に示すように、第１のシートとなる上基材１０と、第２のシートとなる下基材２０とが貼着されるとともに、下基材２０に剥離台紙３０が剥離可能に貼着されて構成された袋状ラベル１である。
【００１６】
上基材１０は、例えば４つの辺部を具備する感熱紙等からなり、下基材２０との貼着面の一部に、例えば、紫外線硬化型等の一般的な剥離ニスを塗布すること等によって剥離層５０が積層されている。剥離層５０は、上基材１０の４つの辺部のうち、３つの辺部に沿う領域と、残りの１つの辺部に沿う領域のうちその辺部から３ｃｍ程度離れた３つの島状の領域を除いた全面に積層されている。なお、上基材１０としては、感熱紙以外にも、インクジェット紙や、上質紙７０ｋｇ等が考えられる。また、表面に印字可能なものであれば、フィルムシートであってもよい。なお、図１（ｂ）に示すように、辺部に沿う領域にはその辺部上の領域も含まれる。
【００１７】
下基材２０は、上基材１０と同一の形状を有し、例えば、上質紙３５ｋｇ等が考えられる。下基材２０の上基材１０との貼着面の全面には接着層４０が積層されている。接着層４０は、下基材２０の表面に、例えば水性エマルジョン接着剤を塗布することによって積層される。また、接着層４０としては、これに限らず、天然ラテックスにデンプンやシリカ等の微粒状充填剤を混入させたもの等、その他接着剤（固化による接着）や粘着剤（粘性を保持しながら接着）の何れでもよい。圧力を加えることによって貼着力を発揮する感圧タイプのものであってもよい。接着層４０として水性エマルジョン接着剤を用いた場合には、下基材２０上にメジウム層を積層することにより、下基材２０への水分の浸透が防止される。下基材２０の反対側の面には、その全面に粘着剤が塗布されることによって粘着層６０が積層されており、この粘着層６０が剥離台紙３０で覆われることによって下基材２０が剥離台紙３０に剥離可能に貼着されている。
【００１８】
上記のように構成された上基材１０と下基材２０とが、上基材１０の剥離層５０が積層された面と、下基材２０の接着層４０が積層された面とが対向するように重ね合わされ、これらが接着層４０によって貼着されている。それにより、上基材１０と下基材２０の３つの辺部に沿う領域と、残りの１つの辺部に沿う領域のうちその辺部の近傍の３つの島状の領域とが、上基材１０と下基材２０とが接着層４０のみによって貼着された強接着部３となり、上基材１０と下基材２０の３つの辺部に沿う領域の強接着部３に囲まれた領域が、３つの島状の強接着部３が設けられた近傍の辺部を開口部とした袋部２となっている。この袋部２においては、３つの島状の領域を除いて、上基材１０と下基材２０とが、接着層４０及び剥離層５０によって剥離可能に貼着されている。なお、接着層４０として水性エマルジョン接着剤を用いた場合、上基材１０と下基材２０とがこのように貼着されることにより、上基材１０の剥離層５０が積層された領域においては剥離層５０によって水分の浸透が防止される。
【００１９】
以下に、上記のように構成された袋状ラベル１の使用例について説明する。
【００２０】
図２は、図１に示した袋状ラベル１の使用例を示す図であり、（ａ）は表面図、（ｂ）は（ａ）に示したＡ−Ａ’断面図である。
【００２１】
図１に示した袋状ラベル１は、例えば図２に示すような配送用伝票１ａとして使用される。この配送用伝票１ａは、納品書４と送票５とが並んだ状態で剥離台紙３０に剥離可能に貼着されて構成されている。
【００２２】
送票５は、上基材１０の表面に、この送票５が貼付される配送物の配送先の住所や氏名あるいは名称等の配送情報が印字される配送情報表示領域７が設けられており、その積層構造は図１に示したものと同様のものとなっている。
【００２３】
納品書４は、上基材１０の表面に、送票５が貼付される配送物の納品情報が印字される納品情報表示領域６が設けられており、その積層構造は、送票５の積層構造とは異なり、剥離層５０が上基材１０の下基材２０との貼着面の全面に積層されている。それにより、納品書４においては、上基材１０と下基材２０とが、その全面にて接着層４０及び剥離層５０によって剥離可能に貼着されている。
【００２４】
以下に、上記のように構成された配送用伝票１ａの作用について説明する。
【００２５】
図３は、図２に示した配送用伝票１ａの作用を説明するための図である。
【００２６】
図２に示した配送用伝票１ａにおいては、上基材１０の納品書４に設けられた納品情報表示領域６に、送票５が貼付される配送物の納品情報を印字するとともに、上基材１０の送票５に設けられた配送情報表示領域７に、送票５が貼付される配送物の配送情報を印字する必要がある。図３（ａ）に示すように、図２に示した配送用伝票１ａは、剥離台紙３０がミシン目３１によって折り畳まれた連続状となっており、この連続状の剥離台紙３０に複数の配送用伝票１ａが１列になって貼着されている。
【００２７】
このように剥離台紙３０が連続状となった状態でプリンタにセットされ、剥離台紙３０及びこれに貼着された配送用伝票１ａが、剥離台紙３０が連続した方向にプリンタ内を搬送されながら、上基材１０の納品書４に設けられた納品情報表示領域６に、送票５が貼付される配送物の納品情報が印字されるとともに、上基材１０の送票５に設けられた配送情報表示領域７に、送票５が貼付される配送物の配送情報が印字される。
【００２８】
図３（ａ）に示したように剥離台紙３０が連続状となった状態で配送用伝票１ａがプリンタにセットされてプリンタ内を搬送されると、図３（ａ）に示すように、剥離台紙３０に貼着された配送用伝票１は、プリンタ内の一対のローラ９０ａ，９０ｂに挟まれながら搬送されることになる。それにより、一対のローラ９０ａ，９０ｂによって表裏から圧力が加わるとともに、ローラ９０ａ，９０ｂの回転によって搬送方向に擦れるような外力が加わる。そのため、上基材１０と下基材２０とがずれる方向に応力が加わるが、図２に示した配送用伝票１の納品書４においては、上基材１０と下基材２０とが、その全面にて接着層４０及び剥離層５０によって剥離可能に貼着されているため、上基材１０と下基材２０とが剥離したり縒れたりすることがない。
【００２９】
また、送票５においては、袋部２においても、島状の強接着部３が設けられていない領域においては、図３（ｂ）に示すように、接着層４０及び剥離層５０によって上基材１０と下基材２０とが剥離可能に貼着されているため、上基材１０と下基材２０とが剥離したり縒れたりすることがない。
【００３０】
また、袋部２において島状の強接着部３が設けられている領域においては、図３（ｃ）に示すように、さらに上基材１０と下基材２０とが強接着部３において接着層４０のみによって貼着されているため、上基材１０と下基材２０とが剥離したり縒れたりすることがない。
【００３１】
このように、図２に示した配送用伝票１においては、上基材１０と下基材２０との間に袋部２となる領域が存在しているものの、袋部２となる領域においても、上基材１０と下基材２０とが貼着されているため、プリンタ等にて搬送される際においても、袋部２となる領域から不用意に剥離したり縒れたりしにくくすることができる。
【００３２】
なお、上記においては、剥離台紙３０が連続した方向にプリンタ内を搬送されながら配送用伝票１に情報が印字される場合、すなわち、プリンタにおける搬送方向が、３つの島状の強接着部３が設けられた近傍の辺部に平行となる場合について説明したが、プリンタにおける搬送方向がこの辺部に直交する場合であっても、上述したような作用が生じる。例えば、プリンタにおける搬送方向が、３つの島状の強接着部３が設けられた近傍の辺部に直交する場合であって、この辺部が搬送方向先端側となる場合は、上記作用に加えて、上基材１０がローラ９０ａに当接して捲れ上がってしまうことがない。また、３つの島状の強接着部３が設けられた近傍の辺部が搬送方向後端側となる場合においても、皺やジャムの発生を回避することができる。
【００３３】
また、上述した作用は、図３（ａ）に示したようにミシン目３１によって折り畳まれた連続状の剥離台紙３０に複数の配送用伝票１ａが１列になって貼着されている場合に限らず、ロール状に巻き取られた連続状の剥離台紙３０に複数の配送用伝票１ａが１列になって貼着されている場合においても同様に生じる。さらには、剥離台紙３０が配送用伝票１ａ毎に単片状となった場合にも同様である。
【００３４】
以下に、上述した配送用伝票１ａの使用方法について説明する。
【００３５】
図４は、図１に示した配送伝票１の使用方法を説明するための図である。
【００３６】
上記のようにして、上基材１０の納品書４に設けられた納品情報表示領域６に、送票５が貼付される配送物の納品情報が印字されるとともに、上基材１０の送票５に設けられた配送情報表示領域７に、送票５が貼付される配送物の配送情報が印字された配送用伝票１ａを使用する場合は、まず、図４（ａ）に示すように、納品書４について上基材１０と下基材２０とを剥離するとともに、送票５について上基材１０と下基材２０を剥離台紙３０から剥離する。納品書４においては、上基材１０と下基材２０とが上述したように接着層４０及び剥離層５０によって剥離可能に貼着されているため、上基材１０と下基材２０とを剥離することができ、また、送票５においては、下基材２０が上述したように剥離台紙３０に剥離可能に貼着されているため、上基材１０と下基材２０を剥離台紙３０から剥離することができる。
【００３７】
次に、剥離台紙３０から剥離した送票５を、図４（ｂ）に示すように被着体となる配送物７０に貼付する。送票５は、上基材１０と下基材２０とが貼着された状態で剥離台紙３０から剥離されており、下基材２０の上基材１０との貼着面とは反対側の面にはその全面に粘着層６０が積層されているため、この粘着層６０によって送票５を配送物７０に貼付することができる。
【００３８】
次に、図４（ｃ）に示すように、袋部２となる領域に対して、３つの島状の強接着部３の近傍の辺部、すなわち袋部２の開口部となる辺部から、上基材１０と下基材２０との間に指８０を挿入し、上基材１０と下基材２０とを剥離していく。この際、袋状２の開口部となる辺部近傍には、上基材１０と下基材２０とが接着層４０のみによって貼着された島状の強接着部３が存在するが、島状の強接着部３が開口部となる辺部の近傍に設けられていることにより、島状の強接着部３よりも開口部となる辺部側には、上基材１０と下基材２０とが接着層４０及び剥離層５０によって剥離可能に貼着された領域が存在し、それにより、上基材１０と下基材２０との間に指８０を挿入することができる。
【００３９】
また、袋部２の開口部となる辺部の近傍に存在する強接着部３は、３つの島状のものであることから、強接着部３となる領域においても、上基材１０と下基材２０とを人の力で剥離することができる。
【００４０】
このようにして袋部２となる領域において上基材１０と下基材２０とを剥離した後、図４（ｄ）に示すように、折り畳んだ上基材１０のみからなる納品書４を袋部２の開口部から挿入して納品書４を袋部２に収納し、配送物７０を配送先に配送することになる。
【００４１】
（他の実施の形態）
図５は、本発明の袋状ラベルの他の実施の形態を示す図であり、図１に示した構成における剥離層５０の形状の他の例を示す。
【００４２】
図１に示した袋状ラベル１における剥離層５０の形状は、上基材１０と下基材２０の３つの辺部に沿う領域と、残りの１つの辺部の近傍の一部の領域とが、接着層４０のみによって貼着された強接着部３となり、上基材１０と下基材２０の３つの辺部に沿う領域の強接着部３に囲まれた領域が、残りの１つの辺部を開口部とした袋部２となるものであれば、上述したように、袋部２において、３つの島状となる領域を除いて積層されるようなものに限らない。また、上記残りの１つの辺部の近傍の領域においては、上述したもののように辺部から３ｃｍ程度離れた領域に限らない。
【００４３】
例えば、図５（ａ）に示すように、袋部２となる領域において、６つの三角形の領域を除いた全面に剥離層５０を積層することも考えられる。これら６つの三角形の領域は、そのうち３つが、開口部となる辺部の近傍にてその辺部に沿って並んで配置され、残りの３つのうち２つが、それよりも袋部２の内側にて開口部となる辺部に沿って並んで配置され、残りの１つがそれよりも袋部２の内側に配置されている。これら６つの三角形の領域においては、上基材１０と下基材２０とが、接着層４０のみによって貼着されており、強接着部１０３となっている。そして、強接着部１０３を構成する６つの三角形の領域は、袋部２の開口部となる辺部側を頂点とし、袋部２の内側に向かってその面積が広がるような構成となっていることにより、上基材１０と下基材２０との貼着力が袋部２の開口部側から袋部２の内側に向かって徐々に大きくなっていくことになり、それにより、上記作用に加えて、袋部２にて上基材１０と下基材２０とを剥離する際にこれらを剥離しやすくすることができる。
【００４４】
また、図５（ｂ）に示すように、袋部２となる領域において、開口部となる辺部の近傍にて長軸がその辺部に沿って延びた楕円状の領域を除いた全面に剥離層５０を積層することも考えられる。この場合においても、楕円状の領域においては、上基材１０と下基材２０とが、接着層４０のみによって貼着されており、強接着部２０３となる。
【００４５】
なお、上述した実施の形態においては、上基材１０と下基材２０の３つの辺部に沿う領域と、残りの１つの辺部の近傍の領域とが、上基材１０と下基材２０とが接着層４０のみによって貼着された強接着部３，１０３，２０３となっているが、強接着部３，１０３，２０３は、上記残りの１つの辺部についてはその辺部に沿う領域の一部に設けられた構成であれば、その１つの辺部上に設けられていてもよい。
【符号の説明】
【００４６】
１    袋状ラベル
１ａ    配送用伝票
２    袋部
３，１０３，２０３    強接着部
４    納品書
５    送票
６    納品情報表示領域
６ａ    納品情報
７    配送情報表示領域
７ａ    配送情報
１０    上基材
２０    下基材
３０    剥離台紙
３１    ミシン目
４０    接着層
５０    剥離層
６０    粘着層
７０    配送物
８０    指
９０ａ，９０ｂ    ローラ
【図１】
2014188681.tif 000003
【図２】
2014188681.tif 000004
【図３】
2014188681.tif 000005
【図４】
2014188681.tif 000006
【図５】
2014188681.tif 000007